(57)【要約】      （修正有）【課題】時間と場所、目的に応じた装飾シートの交換が容易にできる通信機器装飾具を提供する。【解決手段】本通信機器装飾具２０は、通信機器３０を装飾するための通信機器装飾具２０であって、通信機器３０の側面３２を覆うための枠体２１と、意匠及び装飾物のうちの少なくとも一方を有することが可能な基体シートを備える装飾シート１０とを備え、枠体２１は、装飾シート１０の一部が露出するように、少なくとも１つの視認開口部を有しており、枠体２１は、装飾シート１０の他の一部を通信機器３０と枠体２１との間に挟むように構成される。【選択図】図１
0003175040.tif 000002
【実用新案登録請求の範囲】
【請求項１】
通信機器を装飾するための通信機器装飾具であって、
前記通信機器の側面を覆うための枠体と、
意匠及び装飾物のうちの少なくとも一方を有することが可能な基体シートを備える装飾シートと
を備え、
前記枠体は、前記装飾シートの一部が露出するように、少なくとも１つの視認開口部を有しており、
前記枠体は、前記装飾シートの他の一部を前記通信機器と前記枠体との間に挟むように構成される、通信機器装飾具。
【請求項２】
前記基体シートは前記意匠及び前記装飾物のうちの前記少なくとも一方を有する、請求項１に記載の通信機器装飾具。
【請求項３】
前記基体シートは、前記意匠とカバーシートとを含み、
前記意匠は、前記カバーシートに施されている、請求項２に記載の通信機器装飾具。
【請求項４】
前記基体シートは、前記装飾物とカバーシートとを含み、
前記カバーシートは前記装飾物を覆っている、請求項２に記載の通信機器装飾具。
【請求項５】
前記基体シートは、前記意匠とカバーシートと載置シートとを含み、
前記カバーシートは、前記意匠と前記載置シートとを覆っている、請求項２に記載の通信機器装飾具。
【請求項６】
前記基体シートは、前記装飾物とカバーシートと載置シートとを含み、
前記カバーシートは、前記装飾物と前記載置シートとを覆っている、請求項２に記載の通信機器装飾具。
【請求項７】
前記カバーシートと前記載置シートとは互いに連結している、請求項５又は６に記載の通信機器装飾具。
【請求項８】
前記少なくとも１つの視認開口部は、前記枠体における透光性を有する領域からなる、請求項１から７のうちの一項に記載の通信機器装飾具。
【考案の詳細な説明】
【技術分野】
【０００１】
本考案は、通信機器装飾具に関する。
【背景技術】
【０００２】
消費生活の成熟化に伴い、商品に対する使用者の嗜好も多様化しつつあり、機能のみならず、デザイン性も求められる傾向が顕著となってきた。例えば携帯電話のような通信機器においては、他者との差別化を図りたい使用者の要望を満足するために、独自に模様をデザインできる携帯電話端末用カバーが出されている（例えば特許文献１参照）。
【先行技術文献】
【特許文献】
【０００３】
【特許文献１】特開２００７−７４５２７号公報
【考案の概要】
【考案が解決しようとする課題】
【０００４】
しかしながら、特許文献１の携帯電話端末用カバーでは、模様は機械加工によって直接カバーに施されており、使用者自らによる加工は困難である。そのため、新しい模様のカバーが欲しい場合は、業者に製作を依頼するしかなく、完成まで待たされると共に高額な製作費を要するという不都合があり、自由に模様の異なるカバーに交換することが困難であった。
【０００５】
本考案は上記課題を鑑みてなされたものであり、時間と場所、目的に応じた装飾シートの交換が容易にできる通信機器装飾具を提供することを目的とする。
【課題を解決するための手段】
【０００６】
上記の目的を達成するために、本考案に係る通信機器装飾具は、通信機器を装飾するための通信機器装飾具であって、前記通信機器の側面を覆うための枠体と意匠及び装飾物のうちの少なくとも一方を有することが可能な基体シートを備える装飾シートとを備え、前記枠体は、前記装飾シートの一部が露出するように、少なくとも１つの視認開口部を有しており、枠体は、前記装飾シートの他の一部を前記通信機器と前記枠体との間に挟むように構成される。
【０００７】
ある実施形態において、前記基体シートは前記意匠及び前記装飾物のうちの前記少なくとも一方を有する。
【０００８】
ある実施形態において、前記基体シートは、前記意匠とカバーシートとを含み、前記意匠は、前記カバーシートに施されている。
【０００９】
ある実施形態において、前記基体シートは、前記装飾物とカバーシートとを含み、前記カバーシートは前記装飾物を覆っている。
【００１０】
ある実施形態において、前記基体シートは、前記意匠とカバーシートと載置シートとを含み、前記カバーシートは、前記意匠と前記載置シートとを覆っている。
【００１１】
ある実施形態において、前記基体シートは、前記装飾物とカバーシートと載置シートとを含み、前記カバーシートは、前記装飾物と前記載置シートとを覆っている。
【００１２】
ある実施形態において、前記カバーシートと前記載置シートとは互いに連結している。
【００１３】
ある実施形態において、前記少なくとも１つの視認開口部は、前記枠体における透光性を有する領域からなる。
【考案の効果】
【００１４】
本考案の通信機器装飾具によれば、時間と場所、目的に応じた装飾シートの交換が容易にできる。
【図面の簡単な説明】
【００１５】
【図１】通信機器と本考案に係る通信機器装飾具とを示す模式図である。
【図２】本考案の装飾シートにおける基体シートを示す模式図である。
【図３】本考案の実施形態１に係る装飾シートを示す模式図である。
【図４】本考案の実施形態２に係る装飾シートを示す模式図である。
【図５】本考案の実施形態３に係る装飾シートを示す模式図である。
【図６】本考案の実施形態４に係る装飾シートを示す模式図である。
【図７】本考案の実施形態５に係る装飾シートを示す模式図である。
【図８】本考案の実施形態６に係る装飾シートを示す模式図である。
【図９】本考案の実施形態７に係る装飾シートを示す模式図である。
【考案を実施するための形態】
【００１６】
以下、図面を参照して本考案による通信機器装飾具を説明する。但し、本考案は以下の説明に限定されない。
【００１７】
図１は、通信機器３０と本考案に係る通信機器装飾具２０とを示す模式図である。図１（ａ）は、通信機器装飾具２０と通信機器３０との模式的な分解斜視図であり、図１（ｂ）は、通信機器３０に通信機器装飾具２０が装着された状態での模式的な断面図である。通信機器３０は、裏面３１と側面３２と表面３３とを有し、裏面３１に例えばカメラ３１１が設けられ、表面３３には例えば表示パネルや操作部（図示せず）が設けられている。
【００１８】
本考案に係る通信機器装飾具２０は、装飾シート１０と枠体２１とを備えている。枠体２１は、通信機器３０の外側に装着され、通信機器３０の裏面３１と側面３２と表面３３とを覆っている。枠体２１は、通信機器３０の表面３３にある表示パネルや操作部が露出するように第１視認開口部２１１を有していると共に、装飾シート１０の一部が露出するように第２視認開口部２１２を有している。
【００１９】
装飾シート１０には、意匠が付されている。適用する通信機器３０によっては、装飾シート１０は、通信機器３０の特定部位を露出させるための露出孔を有してもよい。例えば、通信機器３０がカメラ付き携帯電話である場合、図１に示すように、装飾シート１０はカメラ３１１を露出させるための露出孔１１０を有している。装飾シート１０は、カメラ３１１が露出孔１１０から露出するように、枠体２１と通信機器３０の裏面３１との間に配置されている。例えば、枠体２１は軟質材料からなって変形可能であり、第２視認開口部２１２が拡大するように枠体２１を変形させた後、装飾シート１０を第２視認開口部２１２から挿入する。
【００２０】
なお、本考案の枠体２１は、装飾シート１０を通信機器３０と枠体２１との間に挟むように構成される限り、素材が軟質材料に限定されない。例えば枠体２１はプラスチック、ガラス、金属などの硬質材料からなり得る。硬質材料からなる場合、例えば枠体２１の第１視認開口部２１１は、装着口として機能するようにより大きく形成される。装飾シート１０と通信機器３０とを第１視認開口部２１１から順次に枠体２１内に嵌め込むことで、装飾シート１０を通信機器３０と枠体２１との間に挟むことができる。また、例えば枠体２１は２つのパーツからなり、装飾シート１０と通信機器３０とを挟むように２つのパーツを組み合わせることで、装飾シート１０を通信機器３０と枠体２１との間に挟むことができる。
【００２１】
このように、装飾シート１０の一部は、枠体２１の第２視認開口部２１２から露出するため、第２視認開口部２１２から意匠を視認することができる。また、装飾シート１０の他の一部は、通信機器３０と枠体２１との間に挟まれているため、装飾シート１０を通信機器３０の裏面３１に固定することができる。なお、装飾シート１０が通信機器３０と枠体２１との間に挟まれている他の一部は、装飾シート１０の周縁である。
【００２２】
上述した説明では、第２視認開口部２１２は、枠体２１に物理的に開いた穴であるが、第２視認開口部２１２は透明部材で塞がれていることがあり得る。透明部材としては、プラスチック、ガラスなどの透明板、透明フィルムであり得る。更に、装飾シート１０に付された意匠を第２視認開口部２１２から視認できるように第２視認開口部２１２が機能し得る限りは、第２視認開口部２１２は物理的に開いた穴に限定されない。第２視認開口部２１２は物理的に閉じた穴であり得る。例えば、枠体２１が透光性素材で構成されている場合には、光を通さない塗料を枠体２１の一部の領域に塗布することで、塗料が塗布されていない領域（装飾シート１０に付された意匠を視認できる領域）が第２視認開口部２１２として機能し得る。第２視認開口部２１２が物理的に閉じた穴である場合には、通信機器装飾具２０の外部からの装飾シート１０への接触を防ぐことができ、装飾シート１０が汚れることを回避し得る。
【００２３】
なお、上述した説明では、装飾シート１０は枠体２１の第２視認開口部２１２から挿入したが、本考案はこれに制限されない。例えば枠体２１に挿入開口部（図示せず）を設け、挿入開口部から装飾シート１０を挿入してもよい。
【００２４】
図１を用いて本考案による通信機器装飾具２０を説明した。本考案の通信機器装飾具２０によれば、通信機器３０の装飾性を向上させることができると共に、第２視認開口部２１２から装飾シート１０を交換することができる。その結果、使用者の感性や目的に合わせて装飾シート１０を選択して用いることができ、オリジナルの通信機器装飾具２０を実現し得る。
【００２５】
以下、図２〜図９を用いて、上記に記載の装飾シート１０を説明する。図２は、本考案の装飾シート１０に含まれる基体シート１１を示す模式図である。基体シート１１は、角部が丸く形成された矩形のシートである。基体シート１１が意匠を有することにより、本考案の装飾シート１０を構成できる。なお、基体シート１１が装飾性を向上できるものを有する限り、意匠を含むことに限定されない。例えば基体シート１１は、装飾物を有して本考案の装飾シート１０を構成できる。
【００２６】
基体シート１１が意匠を有する場合では、意匠は基体シート１１の主面に直接施される。意匠は主面の全面にわたって施されてもよく、主面の一部のみに施されてもよい。例えば意匠は文字、符号、図形、模様、色彩などであり得るが、本考案はこれに限定されない。意匠は、使用者の感性や目的に合わせて選択できる。また、例えば意匠は印刷法によって基体シート１１に印刷された平面的なものであり得るが、本考案はこれに限定されない。意匠は、手描き、押印、エンボス加工又はその他方法によって施されてもよい。また、意匠は、平面的なものでなくてもよい。例えば、ＵＶ硬化性インクで、凹凸を有する模様を印刷する方法、エンボス加工又は金型への押し付などの方法によれば、基体シート１１に凸状に浮き上がった立体感を有する意匠を形成し得る。
【００２７】
基体シート１１が装飾物を有する場合では、装飾物は基体シート１１の主面に配置される。装飾物は主面の全面にわたって配置されてもよく、主面の一部のみに配置されてもよい。装飾物は接着剤又はテープによって基体シート１１に固定されてもよい。例えば装飾物は切手、写真、絵、紙細工、アクセサリ、ストーンなどであり得るが、本考案はこれに限定されない。使用者の感性や目的に合わせて装飾物を選択して用いることができる。
【００２８】
なお、基体シート１１は透光性を有するシートであり得る。この場合、基体シート１１の一主面にある意匠及び/又は装飾物を反対の主面から視認できるため好適である。
【００２９】
以上に説明したように、基体シート１１は意匠及び/又は装飾物を有することにより、本考案の装飾シート１０を構成する。本考案の装飾シート１０を通信機器３０に付して意匠及び/又は装飾物によって通信機器３０の装飾性を向上させることができる。
【００３０】
以下、複数の例示的実施形態を用いて、本考案の装飾シート１０について、より詳細に説明する。
【００３１】
[実施形態１]
図３は、本考案の実施形態１に係る装飾シート１０を示す模式図である。本考案の実施形態１において、装飾シート１０は、基体シート１１Ａを備え、基体シート１１Ａは、カバーシート１１１と意匠１１２とを含んでいる。意匠１１２は、例えば花の模様であり、直接カバーシート１１１の１つの主面に印刷されている。
【００３２】
[実施形態２]
図４は、本考案の実施形態２に係る装飾シート１０を示す模式図である。本考案の実施形態２において、装飾シート１０は、基体シート１１Ｂを備え、基体シート１１Ｂは、カバーシート１１１と装飾物１１３とを含んでいる。装飾物１１３は、例えば切手であり、カバーシート１１１によって覆われるように、カバーシート１１１の一主面に配置されている。
【００３３】
[実施形態３]
図５は、本考案の実施形態３に係る装飾シート１０を示す模式図である。本考案の実施形態３において、装飾シート１０は、基体シート１１Ｃを備え、基体シート１１Ｃは、カバーシート１１１と意匠１１２と載置シート１１４を含んでいる。意匠１１２は、例えば花の模様であり、直接載置シート１１４に印刷されている。意匠１１２及び載置シート１１４は、カバーシート１１１によって覆われている。
【００３４】
[実施形態４]
図６は、本考案の実施形態４に係る装飾シート１０を示す模式図である。本考案の実施形態４において、装飾シート１０は、基体シート１１Ｄを備え、基体シート１１Ｄは、カバーシート１１１と装飾物１１３と載置シート１１４を含んでいる。装飾物１１３は、例えば切手であり、カバーシート１１と載置シート１１４との間に配置されている。装飾物１１３と載置シート１１４とは、カバーシート１１１によって覆われている。
【００３５】
[実施形態５]
図７は、本考案の実施形態５に係る装飾シート１０を示す模式図である。本考案の実施形態５において、装飾シート１０は、基体シート１１Ｅを備え、基体シート１１Ｅは、カバーシート１１１と意匠１１２と載置シート１１４を含んでいる。意匠１１２は、例えば花の模様であり、直接載置シート１１４に印刷されている。カバーシート１１１と載置シート１１４とは、一端部が互いに連結していて折り畳み構造となっている。意匠１１２及び載置シート１１４は、カバーシート１１１によって覆われている。
【００３６】
[実施形態６]
図８は、本考案の実施形態６に係る装飾シート１０を示す模式図である。本考案の実施形態６において、装飾シート１０は、基体シート１１Ｆを備え、基体シート１１Ｆは、カバーシート１１１と装飾物１１３と載置シート１１４を含んでいる。装飾物１１３は、例えば切手であり、カバーシート１１と載置シート１１４との間に配置されている。カバーシート１１１と載置シート１１４とは、一端部が互いに連結していて折り畳み構造となっている。装飾物１１３及び載置シート１１４は、カバーシート１１１によって覆われている。
【００３７】
本考案の実施形態３及び実施形態５では、意匠１１２は載置シート１１４に印刷されていたが、本考案はこれに限定されない。例えば意匠１１２はカバーシート１１１に印刷されてカバーシート１１１によって覆われてもよい。
【００３８】
本考案の実施形態１〜６では、カバーシート１１１と載置シート１１４とは、透光性を有するプラスチックからなる。このため、意匠１１２又は装飾物１１３が配置された主面とは反対の主面から意匠１１２又は装飾物１１３を視認できる。しかし、本考案はこれに限定されない。カバーシート１１１のみが透光性を有するシートであってもよい。カバーシート１１１は、透光性を有する限り、プラスチック以外の素材（例えばガラス）からなり得る。載置シート１１４の素材は、プラスチックの他にガラス、布、金属であり得る。カバーシート１１１や載置シート１１４の強度が高い場合は、外部からの衝撃による通信機器30の変形、損壊を防ぎ得る。更に、載置シート１１４に色が施されてもよい。載置シート１１４の色は任意であり、白、赤、鏡調の色、木目調の色、更にはシルバー等の金属調の色等、様々な色であり得る。
【００３９】
本考案の実施形態１〜６では、載置シート１１４及び/又はカバーシート１１１は角部が丸く形成された矩形のシートであったが、本考案はこれに限定されない。載置シート１１４及び/又はカバーシート１１１は、枠体２１と通信機器３０との間に挟まれる限り、矩形以外の形状（多角形、円形、不規則形等）であり得る。また、本考案の実施形態３〜６では、カバーシート１１１と載置シート１１４とは同様な大きさを有していたが、本考案はこれに限定されない。例えばカバーシート１１１と載置シート１１４との何れか一方が比較的に小さく形成されてもよい。
【００４０】
本考案の実施形態３〜６では、基体シート１１が露出孔１１０を有する場合、露出孔１１０は、カバーシート１１１及び載置シート１１４の両方における対応位置に設けられる。
【００４１】
本考案の実施形態１〜６では、意匠１１２として花柄を用いて、装飾物１１３として切手を用いて説明したが、本考案はこれに限定されない。上述したように、意匠と装飾物とは、使用者の感性や目的に合わせて選択することができる。また、本考案の実施形態１〜６では、基体シート１１は意匠１１２及び装飾物１１３のいずれか一方を有していたが、本考案はこれに限定されない。基体シート１１は、意匠１１２及び装飾物１１３の両方を同時に有してもよい。例えば、カバーシート１１１を有する基体シート１１の場合では、カバーシート１１１に所望の風景画を印刷すると共に、カバーシート１１１に覆われるように人物の写真を配置することで、所望の風景の中に当該人物がいるような装飾ができる。以下、図９を用いて、意匠１１２及び装飾物１１３の両方を同時に有する実施形態を説明する。
【００４２】
[実施形態７]
図９は、本考案の実施形態７に係る装飾シート１０を示す模式図である。本考案の実施形態７において、装飾シート１０は、基体シート１１Ｇを備え、基体シート１１Ｇは、カバーシート１１１と意匠１１２と装飾物１１３と載置シート１１４を含んでいる。意匠１１２は、例えば植物の模様であり、直接載置シート１１４に印刷されている。装飾物１１３は、カバーシート１１１と載置シート１１４と同様な大きさを有しているシートであり、装飾物１１３には、透過開口部１１３ａと露出孔１１０が形成されている。意匠１１２と装飾物１１３と載置シート１１４は、カバーシート１１１によって覆われている。
【００４３】
本考案の実施形態７に係る装飾シート１０では、意匠１１２は植物の模様であったが、本考案はこれに限定されない。意匠１１２は、上述したように使用者の感性や目的に合わせて選択でき、例えば載置シート１１４が和紙であり、意匠１１２は和紙に印刷された友禅柄であり得る。また、意匠１１２は載置シート１１１に施されていたが、本考案はこれに限定されない。例えば、カバーシート１１１、装飾物１１３及び載置シート１１４の内の１つ以上に施し得る。
【００４４】
本考案の実施形態７に係る装飾シート１０では、装飾物１１３は、カバーシート１１１と載置シート１１４と同様な大きさを有しており、装飾物１１３に三角形の透過開口部１１３ａが複数形成されていたが、本考案これに限定されない。例えば、装飾物１１３は、カバーシート１１１及び載置シート１１４より小さく構成されてもよく、装飾物１１３に形成される透過開口部１１３ａは三角形以外の形状（多角形、円形、不規則形等）であって複数でなくでもよい。又、透過開口部１１３ａは、上述した説明のように物理的に閉じた穴であり得る。
【００４５】
本考案の実施形態７に係る装飾シート１０によれば、載置シート１１４の領域の内、透過開口部１１３ａの形状と対応する領域に施された意匠１１２を視認することができる。このため、異なる形状や数量の透過開口部１１３ａを有する装飾物１１３を差し替えることで、視認可能な意匠１１２を変えることができ、意匠１１２と装飾物１１３との組み合わせを楽しむことができる。このように、意匠１１２、装飾物１１３又はその組み合わせの数だけの装飾ができ、バリエーションの豊富な装飾が可能になる。
【００４６】
以上、図３〜図９を用いて、装飾シート１０の７つの例示的実施形態を説明した。装飾シート１０をこのように構成することにより、使用者は、業者がデザインした装飾シート１０を購入して使用してもよいが、基体シート１０へ意匠１１２を描いたり押印したりして、又は装飾物１１３を配置したりすることによって、オリジナルの装飾を行うことも容易にできるため、時間と場所、目的に応じた装飾シート１０の交換が容易にできる。
【産業上の利用可能性】
【００４７】
本考案の通信機器装飾具は、通信機器の装飾性の向上及び通信機器の保護に利用できる。
【符号の説明】
【００４８】
１０      装飾シート
１１、１１Ａ、１１Ｂ、１１Ｃ、
１１Ｄ、１１Ｅ、１１Ｆ、１１Ｇ    基体シート
１１０    露出孔
１１１    カバーシート
１１２    意匠
１１３      装飾物
１１４    載置シート
２０        通信機器装飾具
２１      枠体
２１１      第１視認開口部
２１２    第２視認開口部
３０        通信機器
３１        裏面
３１１      カメラ
３２        側面
３３        表面
【図１】
0003175040.tif 000003
【図２】
0003175040.tif 000004
【図３】
0003175040.tif 000005
【図４】
0003175040.tif 000006
【図５】
0003175040.tif 000007
【図６】
0003175040.tif 000008
【図７】
0003175040.tif 000009
【図８】
0003175040.tif 000010
【図９】
0003175040.tif 000011